【手続補正書】
【提出日】平成16年2月6日(2004.2.6)
【手続補正１】
【補正対象書類名】明細書
【補正対象項目名】特許請求の範囲
【補正方法】変更
【補正の内容】
【特許請求の範囲】
【請求項１】
天板と、脚部と、前記天板が揺動自在に取り付けられ前記脚部に対してほぼ上下方向に摺動可能に支持される支柱と、前記天板の前記支柱との連結箇所以外の箇所と前記脚部とを連結するリンクとを備え、前記天板と脚部と支柱及びリンクとでスライダクランク機構を構成することを特徴とする折り畳みテーブル。
【請求項２】
前記天板をほぼ水平にするテーブル使用時には、前記支柱の摺動を規制して前記天板と脚部と支柱とで固定連鎖を構成する一方、前記天板を立てるテーブル収納時には前記天板と支柱とリンク及び脚部の各回り対偶並びにすべり対偶が一直線上に配置される位置関係を有していることを特徴とする請求項１記載の折り畳みテーブル。
【請求項３】
前記支柱が前記天板と前記脚部との度当たりによって固定されることを特徴とする請求項１または２記載の折り畳みテーブル。
【請求項４】
前記支柱のスライドが任意の位置でロック手段によって固定されることを特徴とする請求項１または２記載の折り畳みテーブル。
【請求項５】
前記支柱は前記脚部に収容されることを特徴とする請求項１から４のいずれかに記載の折り畳みテーブル。
【請求項６】
前記支柱が前記脚部の外に摺動可能に取り付けられていることを特徴とする請求項１から４のいずれかに記載の折り畳みテーブル。
【請求項７】
先端側が前記リンクに連結され、それよりも後端側寄りの部位で前記天板に棚用リンクを介して連結された棚板を備えることを特徴とする請求項１から６のいずれかに記載の折り畳みテーブル。
【請求項８】
前記脚部は、左右の前脚と、これら前脚を連結する補強部材とを有することを特徴とする請求項１から７のいずれかに記載の折り畳みテーブル。
【請求項９】
前記リンクを左右に備え、これらリンクの間に幕板を取り付けたことを特徴とする請求項１から８のいずれかに記載の折り畳みテーブル。
【手続補正２】
【補正対象書類名】明細書
【補正対象項目名】０００８
【補正方法】変更
【補正の内容】
【０００８】
この場合、天板を支柱と連結された部分（回り対偶・連結ピン）を中心に回転させると、当該天板と脚部とを連結するリンクが脚部側の連結箇所（回り対偶・連結ピン）を中心とする往復角運動を行うと共に支柱が上下方向に往復直線運動を行う。したがって、天板を展開してほぼ水平の状態とするテーブル使用時には、支柱の往復直線運動を固定手段あるいは天板と脚部との度当たり等によって固定すれば、天板とリンクと支柱（脚の一部は支柱の固定によって支柱の一部を成す）とで固定連鎖が構成され、天板が脚部で支えられる。また、天板が立てられるテーブル収納時には、天板の支柱との連結箇所を中心とする回転に伴って、天板とリンクとの間の挟角が広がる方向にリンクが脚部側連結箇所を中心に回動させられ、支柱を脚部より上方へ押し上げる。そして、天板が脚部よりも上に持ち上げられて脚部の延長線上に立てられる。


【手続補正３】
【補正対象書類名】明細書
【補正対象項目名】００１０
【補正方法】変更
【補正の内容】
【００１０】
また、請求項２の折り畳みテーブルは、天板をほぼ水平にするテーブル使用時には、支柱の摺動・往復直線運動を規制して天板と脚部と支柱とで固定連鎖を構成する一方、天板を立てるテーブル収納時には天板と支柱とリンク及び脚部の各回り対偶並びにすべり対偶が一直線上に配置される位置関係を有するようにしている。


【手続補正４】
【補正対象書類名】明細書
【補正対象項目名】００１１
【補正方法】変更
【補正の内容】
【００１１】
この場合、テーブル収納時には、天板と支柱とリンクの各回り対偶（連結ピン）並びにスライダとしての脚部のすべり対偶とが一直線上に配置されて死点を構成するため、支柱を固定しなくとも天板が自然に傾いて回動するのを防ぐ。ここで、テーブル使用時における支柱の往復直線運動の規制は、固定手段あるいは天板と脚部との度当たり等によって固定されるが、好ましくは天板と脚部との度当りによって固定されるものである。この場合には、天板を使用状態または折り畳み状態に変更するには天板を回転させる動作のみで足りる。また、テーブル使用時には、天板と脚部とが直接当接することによって支柱の下降を阻止できるので、支柱を固定しなくとも天板と支柱とリンクとで固定連鎖が構成される。


【手続補正５】
【補正対象書類名】明細書
【補正対象項目名】００１２
【補正方法】変更
【補正の内容】
【００１２】
また、請求項４記載の折り畳みテーブルは、支柱のスライドが任意の位置でロック手段によって固定されるようにしている。この場合、支柱のスライドを任意の位置で固定して固定連鎖を構成できるので、天板を任意の傾きで固定可能とする。


【手続補正６】
【補正対象書類名】明細書
【補正対象項目名】００１３
【補正方法】変更
【補正の内容】
【００１３】
また、請求項５の折り畳みテーブルでは、支柱は脚部に収容されるようにしている。したがって、脚部の最上端よりも下方にある支柱が脚部の外部に露出しないので、折り畳みテーブルの使用や収容の際に邪魔になることはないと共に外観を向上させることができる。


【手続補正７】
【補正対象書類名】明細書
【補正対象項目名】００１４
【補正方法】変更
【補正の内容】
【００１４】
更に、請求項６の折り畳みテーブルは、支柱が脚部の外に摺動可能に取り付けるようにしている。この場合、支柱と脚部との間でスライダが形成可能となるので、脚部の傾きに制約されることなくスライダクランク機構が構成できる。


【手続補正８】
【補正対象書類名】明細書
【補正対象項目名】００１５
【補正方法】変更
【補正の内容】
【００１５】
更に、請求項７記載の折り畳みテーブルの場合、天板の回動に伴って天板とリンクとの挟角が広がったり狭まったりするため、棚板と棚用リンクとの間の挟角も広がったり狭まったりして、天板と棚板、リンク及び棚用リンクとで構成される４節回転連鎖がほぼ平行四辺形となったり、互いに重なって一直線状となったりする。即ち、棚板は天板に対し接近したり、離れたりする。
また、請求項８記載の折り畳みテーブルの場合、脚部が、左右の前脚と、これら前脚を連結する補強部材とを有することを特徴とする。更に、請求項９記載の折り畳みテーブルの場合には、リンクを左右に備え、これらリンクの間に幕板を取り付けたことを特徴とする。
【手続補正９】
【補正対象書類名】明細書
【補正対象項目名】００１８
【補正方法】変更
【補正の内容】
【００１８】
前脚７の内部は中空とされ、上端の開口がキャップ１５で塞がれている。キャップ１５は例えばプラスチック材製であり、天板３側の支持金具１０と当接する面が曲面に形成されている。そして、キャップ１５のほぼ中央には支柱５が挿通する貫通孔１５ａが設けられ、各々前脚７へ支柱５が収容されている。キャップ１５の貫通孔１５ａは支柱５に対し適度の摩擦力を与え、使用状態にある天板３が僅かな力で持ち上がったり、折り畳み状態にある天板３が僅かな力で回動しないように設けられている。勿論、支柱５のロック手段例えばキャップ１５あるいは前脚７を貫通して支柱５を直接締め付けるねじなどによって、支柱５を任意の位置で固定することも好ましい。この場合、天板３の使用角度を自由に選べたり、収納時に天板３が倒れることを確実に防止できる。支柱５は前脚７の上端のキャップ１５から前脚７の延長線上に突出され、キャップ１５がガイド即ち固定スライダとしてあるいはキャップ１５と前脚７そのものを固定スライダとして、延長線上で摺動可能に支持されている。また、前脚７の内部には、図示していないが、支柱５の下降に対して反力を与える手段例えば緩衝ばねや、ガススプリング、摩擦部材等が収容されている。このため、天板３が折り畳み状態（図１に実線で示す状態）Ｓから使用状態（図１に仮想線で示す状態）Ｕに変更するとき、下方へ向けて摺動する支柱５に対して反力を与えるので、天板３が脚部２に勢い良く衝突することを防止できる。


【手続補正１０】
【補正対象書類名】明細書
【補正対象項目名】００２７
【補正方法】変更
【補正の内容】
【００２７】
また、図２及び図４に示すように、前脚７の上下方向のほぼ中央位置には、左右の前脚７，７を連結する直線形状の補強部材１２が取り付けられている。このため、左右の脚部２，２を連結して折り畳みテーブル１の全体の剛性を大きくすることができる。さらに、補強部材１２の前側で前脚７のリンク６を取り付けた付近から下部にかけて目隠し板１３が取り付けられている。このため、折り畳みテーブル１の使用者の脚部を前方から隠すことができる。


【手続補正１１】
【補正対象書類名】明細書
【補正対象項目名】００３３
【補正方法】変更
【補正の内容】
【００３３】
また、本実施形態では支柱５は脚部２に摺動可能に収容されているが、これに限られず脚部２の外部にスライダ部材などを介して摺動可能に取り付けられるものであっても構わない。例えば、前脚７の外側壁に上下方向の透孔を有する支柱支持部材（いわゆるスライダ）を取り付けて、この透孔に支柱５を挿入することにより支柱５を摺動可能に支持するようにしても構わない。このとき、支柱支持部材そのものを前脚７に対して摺動自在に取り付けることによって、スライダクランク機構を構成するようにしても良い。


【手続補正１２】
【補正対象書類名】明細書
【補正対象項目名】００３６
【補正方法】変更
【補正の内容】
【００３６】
また、請求項２の折り畳みテーブルは、天板をほぼ水平にするテーブル使用時には、支柱の摺動を規制して天板と脚部と支柱とで固定連鎖を構成する一方、天板を立てるテーブル収納時には天板と支柱とリンク及び脚部の各回り対偶並びにすべり対偶が一直線上に配置される位置関係を有しているので、天板の回転と昇降とが連動し、天板を上下動させる動作だけで天板を容易に立てたり横にしたりして状態変更を行うことができ、取り扱いが簡単である。ここで、テーブル使用時における支柱の往復直線運動の規制を、天板と脚部との度当たり等によって行うようにすれば、天板を使用状態または折り畳み状態に変更するには天板を回転させる動作のみで足りる。
【手続補正１３】
【補正対象書類名】明細書
【補正対象項目名】００３７
【補正方法】変更
【補正の内容】
【００３７】
また、請求項４の折り畳みテーブルでは、支柱のスライドを任意の位置で固定して固定連鎖を構成できるので、天板を任意の傾きで固定可能とする。


【手続補正１４】
【補正対象書類名】明細書
【補正対象項目名】００３８
【補正方法】変更
【補正の内容】
【００３８】
また、請求項５の折り畳みテーブルでは、脚部の最上端よりも下方にある支柱が脚部の外部に露出しないので、折り畳みテーブルの使用や収容の際に邪魔になることはないと共に外観を向上させることができる。


【手続補正１５】
【補正対象書類名】明細書
【補正対象項目名】００３９
【補正方法】変更
【補正の内容】
【００３９】
更に、請求項６の折り畳みテーブルでは、支柱と脚部との間でスライダが形成可能となるので、脚部の傾きに制約されることなくスライダクランク機構が構成できる。


【手続補正１６】
【補正対象書類名】明細書
【補正対象項目名】００４０
【補正方法】変更
【補正の内容】
【００４０】
更に、請求項７の折り畳みテーブルでは、天板を立てると棚板も天板に引き寄せられて天板に沿って隙間なく脚の延長線上に並べて収容されるので、場所をとらず収容スペースを削減できる。また、天板を展開するテーブル使用時には、棚板が天板から離されて吊り下げられるので、小物などを載せる棚板としてのスペースを十分に確保し得る。
また、請求項８の折り畳みテーブルでは、脚部を、左右の前脚と、これら前脚を連結する補強部材とを有するようにしているので、折り畳みテーブルの全体の剛性を大きくすることができる。
更に、請求項９の折り畳みテーブルでは、リンクを左右に備え、これらリンクの間に幕板を取り付けるようにしているので、折り畳みテーブルの使用者の脚部を前方から隠すことができる。
【手続補正１７】
【補正対象書類名】図面
【補正対象項目名】図３
【補正方法】変更
【補正の内容】
【図３】
1998215952.tif 000001